(57)【要約】【課題】投写型映像表示装置の投写方向如何に拘わらず発光管の上部を重点的に冷却することにより発光管の周囲全体を略均一に冷却可能にするとともに、冷却システムにおける無駄なエネルギの損失を抑制するようにした投写型映像表示装置を提供することを目的とする。【解決手段】本発明に係る投写型映像表示装置は、光源ランプ３の光軸Ｃ１を中心に本体を回転させることにより投写方向が変更可能に構成する。また、このようにして投写方向を変更したときに、投写方向の如何に拘わらず冷却空気の空気流を発光管１１の上部へ集中させるようにする。このようにするために、投写方向の変化に合わせて吹出空気の風向を重力により自動的に変更する風向変更部４０を備えている。【選択図】図３
2011185993.tif 000002
【特許請求の範囲】
【請求項１】
外装ケースを有する本体と、発光管から出射された光をリフレクタにより反射するように形成された光源ランプと、前記発光管の周囲を空冷する冷却システムと、映像処理された映像光を投写する投写レンズを備えた投写型映像表示装置であって、
当該投写型映像表示装置は、光源ランプの光軸を中心に本体を回転させることにより投写方向が変更可能に構成され、
前記冷却システムは、光源ランプの光軸を中心に本体を回転させて投写方向を変更したときに、投写方向がどうなっているかに拘わらず冷却空気の空気流を発光管の上部へ集中させるように、吹出空気の風向を重力により自動的に変更する風向変更部を備えている
ことを特徴とする投写型映像表示装置。
【請求項２】
前記光源ランプの光軸と前記投写レンズの光軸とは、直角を成すように配置されていることを特徴とする請求項１記載の投写型映像表示装置。
【請求項３】
請求項２記載の投写型映像表示装置は、光源ランプの光軸を中心に本体を回転させることにより、正立投写状態、天吊り投写状態、上向き投写状態及び下向き投写状態の設置が可能に構成されていることを特徴とする請求項２記載の投写型映像表示装置。
【請求項４】
前記冷却システムは、正立投写状態時における発光管の下方位置から前記発光管が位置するリフレクタの奥部に向けて冷却空気を吹き出す給気口を備え、
前記風向変更部は、給気口から吹き出される冷却空気を前記発光管に向けて直接吹き出すか、又は、発光管の側方に吹き付けるかを制御するための２枚の風向板と、この２枚の風向板の回転範囲を規制する規制部材とを有し、
前記２枚の風向板は前記光源ランプの光軸を含む面内に配置された回転軸により回転自在に軸支されるとともに、この風向板の回転軸は前記発光管に向けて吹き出される冷却空気と直交するように前記光源ランプの光軸に対して傾斜して配置され、さらに、前記２枚の風向板は前記規制部材により前記光源ランプの光軸を含む面から最小回転位置を成す基準位置と、前記光軸を含む面から相互に対向する方向へ最大回転位置を成す最大回転位置との間で回転自在とするように構成されている
ことを特徴とする請求項３記載の投写型映像表示装置。
【請求項５】
前記最大回転位置は、給気口から吹き出される冷却空気が発光管側方に向けて吹き出され、この吹き出された空気が発光管の上部に到達するような空気流れを形成する上で適切な位置となるように設定されていることを特徴とする請求項４記載の投写型映像表示装置。
【請求項６】
前記規制部材は、前記基準位置を規制する基準位置規制部材と、最大回転位置を規制する最大回転位置規制部材とから成ることを特徴とする請求項５記載の投写型映像表示装置。
【請求項７】
前記規制部材は、風向板の端部にのみ当接するように、給気口を形成する給気ダクトの壁体と一体に形成されていることを特徴とする請求項６記載の投写型映像表示装置。
【請求項８】
前記２枚の風向板は、同一回転軸に軸支されるとともに、前記基準位置規制部材に当接する位置まで回動可能とするために、回転軸付近に相互の干渉を防止する切込みが形成されていることを特徴とする請求項６又は７の何れか１項に記載の投写型映像表示装置。
【請求項９】
前記風向板は、外側表面部に、吹出し空気流を発光管の軸方向へガイドするガイド板が起立して形成されていることを特徴とする請求項４〜８の何れか１項に記載の投写型映像表示装置。
【請求項１０】
前記光源ランプは、リフレクタの口縁部分における上下左右方向に切欠状に開口された複数の開口部を有し、これら開口部のうちの一つに対し先端に給気口を有する給気ダクトが挿入され、他の開口部は、光源ランプ冷却後の冷却空気を排出する排気口として構成されていることを特徴とする請求項４〜９の何れか１項に記載の投写型映像表示装置。
【請求項１１】
前記排気口は、リフレクタの口縁部分において、前記給気口の対象位置並びに当該対象位置と前記給気口との中間位置に配置されていることを特徴とする請求項１０記載の投写型映像表示装置。
【発明の詳細な説明】
【技術分野】
【０００１】
本発明は、空冷により光源ランプを冷却する液晶プロジェクタ等の投写型映像表示装置に関する。
【背景技術】
【０００２】
投写型映像表示装置の光源ランプとしてメタルハライドランプなどが用いられているが、投写型映像表示装置の据付状態に拘わらず光源ランプにおいては、発光管の鉛直方向上側の温度が高くなる。また、光源ランプの性能を最大限に引き出し、かつ寿命を長く保つには、発光管全体を最適な温度範囲に収める必要がある。
【０００３】
一方、投写型映像表示装置は、その設置状態により本体をいろいろな角度に変化させることが必要となる。例えば、正立投写状態（床、机上等の平面上に設置する状態）の設置状態を基準として、特殊な天吊部材を使用して天井面から吊下げる天吊り投写状態の場合は、本体が上下反転した状態とされる。しかしこのような場合においても光源ランプの発光管の上部を強く冷却し下部をあまり冷却しないように冷却する必要がある。
【０００４】
このように設置状態により本体の取付状態が変化した場合において、光源ランプの発光管の上部を強く冷却し下部をあまり冷却しないようにしたものとしては、例えば特許文献１〜特許文献３に記載されたものがある。特許文献１は、風向板の回動により給気路に連通する吸入孔を部分的に開閉し、これにより吸入孔が上下何れにある場合でも吸入孔から吸入される空気を発光管の上部に直接到達するようにしたものである。また、特許文献２は、光源ランプの上下に吹付ダクト及び整流部を設け、投写型映像表示装置を上下反転して使用する場合に、整流部の切換により常に発光管の上方に位置する吹付けダクトからの空気のみを発光管の上部に供給するようにしたものである。また、特許文献３は、光源ランプの上下に風路及び風向を切り換えるフィンを設け、投写型映像表示装置を上下反転して使用する場合に、フィンの切換により常に発光管の上方に位置する風路からの空気を発光管の上部に供給するとともに、発光管の下方の風路からの発光管の下方に向かう空気を上方に跳ね返すようにしたものである。
【先行技術文献】
【特許文献】
【０００５】
【特許文献１】特開２００７−２３３４２０号公報
【特許文献２】特開２００９−９９２６９号公報
【特許文献３】特開平９−３０４８３５号公報
【発明の概要】
【発明が解決しようとする課題】
【０００６】
ところで、これら従来技術のものは、投写型映像表示装置の取り付けが正立投写状態、天吊り投写状態の何れの場合にあっても、発光管の上部を強く冷却し下部をあまり冷却しないようにしたものであるが、上向き投写状態時や下向き投写状態時には適用できないものである。
【０００７】
また、特許文献１のものは、天吊り投写状態時に吸入孔の一部が閉じられるため、風の吹付けが発光管における軸方向の一部分に集中し、これにより発光管の温度が偏る可能性がある。また、正立投写状態時において、冷却風の半分は発光管の鉛直下方に向けられるため、高出力ランプ使用時に、発光管の鉛直下側を冷却し過ぎることになり、発光管の鉛直上側を重点的に冷却することが難しいという問題があった。また、特許文献２及び特許文献３は、冷却風の半分が無駄に吹き出されることになるため、余分な動力が消費されるという問題があった。
【０００８】
本発明は、このような問題点に鑑み成されたものであって、投写型映像表示装置の投写方向如何に拘わらず発光管の上部を重点的に冷却することにより発光管の周囲全体を略均一に冷却可能にするとともに、冷却システムにおける無駄なエネルギの損失を抑制するようにした投写型映像表示装置を提供することにある。
【課題を解決するための手段】
【０００９】
本発明に係る投写型映像表示装置は、外装ケースを有する本体と、発光管から出射された光をリフレクタにより反射するように形成された光源ランプと、前記発光管の周囲を空冷する冷却システムと、映像処理された映像光を投写する投写レンズを備えた投写型映像表示装置であって、当該投写型映像表示装置は、光源ランプの光軸を中心に本体を回転させることにより投写方向が変更可能に構成され、前記冷却システムは、光源ランプの光軸を中心に本体を回転させて投写方向を変更したときに、投写方向がどうなっているかに拘わらず冷却空気の空気流を発光管の上部へ集中させるように、吹出空気の風向を、重力により自動的に変更する風向変更部を備えていることを特徴とする。
【００１０】
このような構成によれば、光源ランプの光軸を中心に本体を回転させることにより、上下左右何れの方向へも投写方向を変更することが可能である。また、このようにして投写方向を変更した場合に、風向変更部の作用により、投写方向如何に拘わらず発光管の上部に対し重点的に冷却空気の空気流が集中されるので、発光管の性能を十分に発揮させるとともに、発光管の寿命を長期化することができる。また、無駄に流通させる冷却空気の空気流が存在しないので無駄なエネルギーロスがない。
【００１１】
また、前記光源ランプの光軸と前記投写レンズの光軸とは、直角を成すように配置されていることが好ましい、このように構成されていると、本体内の機器配置を移動させることなく光源ランプの光軸を中心に回転させると投写方向を３６０度回転することができる。
【００１２】
また、このように構成された投写型映像表示装置は、光源ランプの光軸を中心に本体を回転させることにより、正立投写状態、天吊り投写状態、上向き投写状態及び下向き投写状態の設置が可能に構成されていることが好ましい。このように構成することにより、大方のニーズに応えることができる。
【００１３】
また、前記冷却システムは、正立投写状態時における発光管の下方位置から前記発光管が位置するリフレクタの奥部に向けて冷却空気を吹き出す給気口を備え、前記風向変更部は、給気口から吹き出される冷却空気を前記発光管に向けて直接吹き出すか、又は、発光管の側方に吹き付けるかを制御するための２枚の風向板と、この２枚の風向板の回転範囲を規制する規制部材とを有し、前記２枚の風向板は前記光源ランプの光軸を含む面内に配置された回転軸により回転自在に軸支されるとともに、この風向板の回転軸は前記発光管に向けて吹き出される冷却空気と直交するように前記光源ランプの光軸に対して傾斜して配置され、さらに、前記２枚の風向板は前記規制部材により前記光源ランプの光軸を含む面から最小回転位置を成す基準位置と、前記光軸を含む面から相互に対向する方向へ最大回転位置を成す最大回転位置との間で回転自在とするように構成されていることが好ましい。
【００１４】
このように構成すると、２枚の風向板は、光源ランプの光軸を中心に本体を回転させることにより投写方向を変更した場合に、その自重により前記光軸を含む面からの回転角度を変化させるように回転する。例えば、正立投写状態時には回転軸が光軸の下方位置にあって風向板が起立した状態となるとともに、両風向板が自重によりそれぞれ回転軸を中心にして最大回転位置まで回転してＶ字状に開いた状態となる。このため、給気口から吹き付けられる空気は、給気口から直線的に発光管に吹き付けられるのではなく、発光管を挟むよう両側に向けて吹き出されるため、吹出空気がリフレクタの内面に沿って発光管の上部に回り込み、発光管の上部が重点的に冷却される。また、天吊り投写状態時には、回転軸が光源ランプの光軸の上方となり風向板が垂れ下がった最小回転位置である基準位置となり、２枚の風向板はＶ字を閉じた状態となる。このため、給気口から吹き出された空気は直接的に発光管の上部に向けて吹き出されるので、発光管の上部が重点的に冷却される。また、上方吹出状態時及び下方吹出状態時には回転軸が光源ランプの光軸と同一高さ位置となり、２枚の風向板は水平方向に延びる状態となる。しかし、上に重なる風向板は光軸方向に水平に伸びた状態で停止されるが、下に位置する風向板は下方向の最大回転位置まで回転した状態となる。この結果、給気口から吹き出される空気は、上方の風向板により案内される冷却空気は発光管の上部に直接吹き付けられ、下方の風向板により案内される空気は発光管の下方に向けて吹き出されるため、リフレクタの内面に沿って発光管の上部に回り込むようになる。これにより、発光管の上部が重点的に冷却される。
【００１５】
また、前記最大回転位置は、給気口から吹き出される冷却空気が発光管側方に向けて吹き出され、この吹き出された空気が発光管の上部に到達するような空気流れを形成する上で適切な位置となるように設定されていることが好ましい。この範囲外の回転は不要であるので最小必要範囲で風向板を回動させることができる。
【００１６】
また、前記規制部材は、前記基準位置を規制する基準位置規制部材と、最大回転位置を規制する最大回転位置規制部材とから成ることが好ましい。このような構成にすれば、投写型映像表示装置の如何に拘わらず２枚の平板状の風向板を適切な回転角度位置に規制することができる。
【００１７】
また、この場合において、前記規制部材は、風向板の端部にのみ当接するように、給気口を形成する壁体と一体に形成されていることが好ましい。このようにすれば、規制部材が給気口から吹き出す空気流の障害になることが軽減される。
【００１８】
また、前記２枚の風向板は、同一回転軸に軸支されるとともに、前記基準位置規制部材に当接する位置まで回動可能とするために、回転軸付近に相互の干渉を防止する切込みが形成されていることが好ましい。このように構成すれば、２枚の風向板を略重なるように閉じた状態を基準位置とすることができる。
【００１９】
また、前記風向板は、外側表面部に、吹出し空気流を発光管の軸方向へガイドするガイド板が起立して形成されていることが好ましい。このように構成すれば、給気口から吹き出す空気を発光管の光軸方向に対し調節することができる。
【００２０】
前記光源ランプは、リフレクタの口縁部分における上下左右方向に切欠状に開口された複数の開口部を有し、これら開口部のうちの一つに対し先端に給気口を有する給気ダクトが挿入され、他の開口部は、光源ランプ冷却後の冷却空気を排出する排気口として構成されていることが好ましい。このように構成すれば、リフレクタの機能を阻害せずに給気口及び排気口を形成することができるとともに、給気口からの吹出空気を発光管に向けて吹き出すことができる。
【００２１】
また、前記排気口は、リフレクタの口縁部分において、前記給気口の対象位置並びに当該対象位置と前記給気口との中間位置に配置されていることが好ましい。このように構成すると、発光管の周囲を均一な温度状態に保持するように風向を制御することが容易となる。
【発明の効果】
【００２２】
本発明に係る投写型映像表示装置によれば、光源ランプの光軸を中心に本体を回転させることにより投写方向を上下左右何れの方向へも投写方向を変更することが可能である。また、このようにして投写方向を変更した場合に、風向変更部の作用により、投写方向如何に拘わらず発光管の上部に対し重点的に冷却空気の空気流が集中されるので、発光管の性能を十分に発揮させるとともに、発光管の寿命を長期化することができる。また、無駄に流通させる冷却空気の空気流が存在しないので無駄なエネルギーロスがない。
【図面の簡単な説明】
【００２３】
【図１】本発明の実施の形態に係る投写型映像表示装置の外観斜視図である。
【図２】同投写型映像表示装置の光学系構成図である。
【図３】同光源ランプの冷却システムを説明するための図面であって、（ａ）は光源ランプ周りの断面図であり、（ｂ）はランプカバーを取り外した状態の光源ランプ周りの正面図である。
【図４】同投写型映像表示装置における光源ランプ周りの機器構成を示す分解斜視図である。
【図５】同冷却システムにおける風向変更部の斜視図である。
【図６】同風向変更部における風向板及び規制部材の説明図であって、（ａ）は斜視図、（ｂ）は正立投写状態時の動作図、（ｃ）は天吊り投写状態時の動作図、（ｄ）は上吹き又は下吹き投写状態時の動作図である。
【図７】同投写型映像表示装置を正立投写状態に設置した場合における冷却システムの作用説明図であって、（ａ）は本体の設置状態図であり、（ｂ）は光源ランプ内の空気流れ状態図である。
【図８】同投写型映像表示装置を天吊り投写状態に設置した場合における冷却システムの作用説明図であって、（ａ）は本体の設置状態図であり、（ｂ）は光源ランプ内の空気流れ状態図である。
【図９】同投写型映像表示装置を上向き投写状態に設置した場合における冷却システムの作用説明図であって、（ａ）は本体の設置状態図であり、（ｂ）は光源ランプ内の空気流れ状態図である。
【図１０】同投写型映像表示装置を下向き投写状態に設置した場合における冷却システムの作用説明図であって、（ａ）は本体の設置状態図であり、（ｂ）は光源ランプ内の空気流れ状態図である。
【図１１】同風向変更部における規制部材の変形例図である。
【発明を実施するための形態】
【００２４】
以下、本発明の実施の形態に係る投写型映像表示装置について、図面を参照しながら説明する。
本実施の形態に係る投写型映像表示装置は、図１に示すように、外装ケースを備えた本体１の前面（図における左斜め前方の面）に投写レンズ２を有する３板式の液晶プロジェクタである。この投写型映像表示装置は、図２に示すような光学系を備えている。なお、図１は、本実施の形態に係る投写型映像表示装置が正立投写状態に取り付けられた状態を斜め上方から見た斜視図であって、以下の説明において特に断りなく上下方向をいうときはこの状態における上下方向をいうものとする。また、前後方向をいうときは、光の進む方向を前とする。
【００２５】
この光学系は、図示されるように、光源ランプ３、インテグレータレンズ４、偏光変換素子５、反射ミラー６ａ，６ｂ，６ｃ，６ｄ、ダイクロイックミラー７ａ，７ｂ、液晶ライトバルブ８Ｒ，８Ｇ，８Ｂ、ダイクロイックプリズム９、投写レンズ２等を備えている。
【００２６】
そして、これら光学系の機器は、概ね図２に図示されるように配置されており、光源ランプ３の光軸Ｃ１と投写レンズ２の光軸Ｃ２とは同一平面内において直角を成すように構成されている。したがって、光源ランプ３の光軸Ｃ１を中心として本体１を回すと、正立投写状態、天吊り投写状態、上向き投写状態及び下向き投写状態の設置が可能となる。因みに、図１は、正立投写状態の外観斜視図である。
【００２７】
光源ランプ３は、発光管１１と、放物面状の反射面を成すリフレクタ１２とから構成されている。発光管１１は、石英ガラスにより形成されたものであって、球状部１３と円柱部１４とからなる。そして、球状部１３の内部には発光体として、水銀とハロゲンガスの混合物又は水銀とハロゲン化物の混合物が封入され、円柱部１４には球状部に延びる電極の一部が埋設されている。
【００２８】
リフレクタ１２は、前面開放の、放物面状の反射面に形成されたものであって、その放物面の焦点には前記球状部１３が配置されている。したがって、リフレクタ１２は、発光管１１から発せられた光が平行光となって前方へ出射されるように構成されている。
【００２９】
インテグレータレンズ４は、一対のレンズ群（フライアイレンズ）から構成され、個々のレンズ部分が光源ランプ３から出射された光を後述する液晶ライトバルブ８Ｒ，８Ｇ，８Ｂの全面に導くように構成されている。
【００３０】
偏光変換素子５は、偏光分離膜と小さな複数の偏光ビームスプリッタアレイによって構成されているものであって、インテグレータレンズ４からの光を１種類の直線偏光に変換して出射する。
【００３１】
反射ミラー６ａ，６ｂ，６ｃ，６ｄは、光を所定の方向に変更するために使用されている。
ダイクロイックミラー７ａ，７ｂは、光源ランプから出射された光（白色光）を光の三原色である赤色、青色、および緑色の光へ分離するために使用されている。ダイクロイックミラー７ａは、赤色光を透過し、緑色光及び青色光を反射するミラーであり、ダイクロイックミラー７ｂは、青色光を透過し、緑色光を反射するミラーである。
【００３２】
ライトバルブとしては、赤色光成分を変調する赤色光用の液晶ライトバルブ８Ｒ、緑色光成分を変調する緑色光用の液晶ライトバルブ８Ｇ、及び青色光成分を変調する青色光用の液晶ライトバルブ８Ｂとから構成されている。各液晶ライトバルブ８Ｒ，８Ｇ，８Ｂは、図示しないが、入射側偏光板、液晶パネル、光学補償板、出射側偏光板などから構成されている。
【００３３】
ダイクロイックプリズム９は、液晶ライトバルブ８Ｒ，８Ｇ，８Ｂから出射された各色の映像光を合成して、投写可能な映像光を生成する。そして、ダイクロイックプリズム９で合成された映像光は、投写レンズ２へ導かれる。
【００３４】
投写レンズ２は、複数枚のレンズ群により構成されるものであって、ダイクロイックプリズム９によって生成された映像光を入射し、これを拡大して所定のスクリーン、壁面などに投写して表示するものである。
【００３５】
以上のように構成される光学系において、高温側の許容限界温度が比較的低い機器である液晶ライトバルブ８Ｒ，８Ｇ，８Ｂや偏光変換素子５などが機内空気により冷却されるが、これら冷却系とは別に、発熱量が多く使用温度が極端に高くなる光源ランプ３の冷却が行われている。以下、この光源ランプ３を冷却する冷却システムについて説明する。
【００３６】
この実施の形態に係る光源ランプ３を冷却する冷却システムを説明するに当り、光源ランプ３周りの構造について先ず説明する。
光源ランプ３は、図３（ａ）に示すように、略直方体に形成されたランプハウス２０の中に取り付けられている。また、ランプハウス２０は、同図に示すように、光源ランプ３を収納する略直方体形状のランプホルダ２１と、ランプホルダ２１の前面開口を覆う四角枠形状のランプカバー２２とから構成されている。
【００３７】
ランプホルダ２１は、図３（ａ）、（ｂ）及び図４に示すように、前面開口の略直方体形状であり、各辺の中央部に切込み２３が形成されているとともに、４隅コーナ部には三角形状を成して前面開口の隅部に出っ張る固定部２４が設けられている。この固定部２４には、４隅にてランプカバー２２をネジ止めするためのネジ孔２５が設けられている。一方、ランプカバー２２は、中央部に光源ランプ３からの出射光を通過させるための光通過孔２６を備えた枠部材であって、４隅にランプホルダ２１を取り付けるためのねじ用孔２７が設けられている（図４参照）。
【００３８】
また、光源ランプ３のリフレクタ１２は、図３（ｂ）及び図４からよく分かるように、口縁部の外周表面は、正面から見ると、４辺の中央部１６が直線状に形成されるとともに、４隅の各コーナ部１７が略円弧状に形成されている。また、直線状に形成された中央部１６には、それぞれ切欠状の開口部１８が設けられている。そして、光源ランプ３は、中央部１６がランプホルダ２１の切込み２３に嵌められた状態でランプホルダ２１内に収納され、このように収納されたランプホルダ２１に対し前方からランプカバー２２を取り付けると、光源ランプ３がランプホルダ２１とランプカバー２２との間に挟持された状態で取り付けられるように構成されている。したがって、正面から見たランプホルダ２１の外側寸法、ランプカバー２２の外側寸法、及び対向する中央部１６の外側間の寸法は略同一である。
【００３９】
そして、この開口部１８のうち正立投写状態時において下方となる開口部１８には、本実施の形態に係る冷却システムの中核を成す給気ダクト３２が挿入されている。また、この給気ダクト３２の先端は給気口３１として形成されている。この給気口３１は、図３（ａ）及び図３（ｂ）に示すように、冷却ファン３３に連結された冷却空気吹出口であり、給気口３１の内部には風向変更部４０が設けられている。なお、他の三つの開口部１８は、給気口３１から吹き出された空気が光源ランプ３を冷却した後に排出される排気口を成すように構成されている。
【００４０】
給気口３１を先端に形成する給気ダクト３２は、冷却ファン３３の吹出口から延長されたものであり、給気口３１は冷却空気の吹出口を成す。また、図５に示すように、この給気口３１は、吹き出された冷却空気がリフレクタ１２の口縁部から発光管１１が位置するリフレクタ１２の奥部に向けて吹き出されるように、リフレクタ１２の奥の方に向くように傾いた形状に形成されている。給気口３１における前方部には、給気口３１から吹出される冷却空気を発光管１１の方へ案内するためのガイド部３１ａが突出して形成されている（図５参照）。
【００４１】
また、給気口３１の内部に形成された風向変更部４０は、例えば図５に示すように、回転軸４１に回転自在に軸支された平板状の２枚の風向板４２と、この２枚の風向板４２の回転範囲を規制する規制部材とから構成されている。規制部材は、後述する１個の基準位置規制部材４３と２個の最大回転位置規制部材４４とから構成されている。
【００４２】
回転軸４１は、光源ランプ３の光軸Ｃ１を含む面内に配置されたものであって、給気口３１の吹出方向に対応して風向板４２が回転するように、光源ランプ３の光軸Ｃ１に対し後方が下方となるように傾斜して配置されている。また、回転軸４１は、光源ランプ３の光軸Ｃ１より下方に位置する。さらに、２枚の風向板４２は、この回転軸４１に軸支された状態で、かつこの回転軸４１の上方位置にて回転するように配置されている。
【００４３】
２枚の風向板４２は、上下方向に長い長方形の平板状のものであって、下方に回転軸４１が嵌入される軸受部４５が形成され、回転軸４１を共通の軸として回動自在に軸支される。また、２枚の風向板４２は、光源ランプ３の光軸Ｃ１と前記回転軸４１とを含む面Ｆ（図６参照）を挟んで対象的な回転角度範囲内において回動自在となるように位置規制されている。なお、本明細書においては、風向板４２が光軸Ｃ１と回転軸４１とを含む面Ｆに最も近づく位置を基準位置（図６（ｃ）のように閉じた位置）とし、風向板４２がこの光軸Ｃ１と回転軸４１とを含む面Ｆから最も遠く離れる位置を最大回転位置とする（図５、図６（ａ）及び図６（ｂ）の状態）。
【００４４】
この最大回転位置は、給気口３１から発光管１１の側方に向けて吹き出された冷却空気が発光管１１の側方から上部へ回り込む空気流れを形成する上で、風向板４２の位置を適切となるようにするものである、この実施の形態において、この最大回転位置は光軸Ｃ１と回転軸４１とを含む面Ｆから略６０度となるように設定されている。
【００４５】
規制部材は、例えば図６に示すように、風向板４２の基準位置を規制する基準位置規制部材４３と、風向板４２の最大回転位置を規制する最大回転位置規制部材４４とを備えている。この実施の形態においては、基準位置規制部材４３及び最大回転位置規制部材４４は、何れも円柱状の棒状部材により形成されている。なお、基準位置規制部材４３は、光軸Ｃ１と回転軸４１とを含む面Ｆに配置された円柱状の部材であり、２枚の風向板４２の間に介在するように配置されることにより、両風向板４２に対して共用されている。
【００４６】
また、２枚の風向板４２は、上記基準位置規制部材４３により所定の基準位置（図６（ｃ）の位置）に係止することができるようにするために、図５及び図６（ａ）に示すように、軸受部４５付近（すなわち、回転軸４１近）において相互に干渉することを回避するための切込み４６が形成されている。この切込み４６が設けられることにより、両風向板４２が所定の基準位置まで回転できるように構成されている。
【００４７】
本実施の形態に係る投写型映像表示装置においては、光源ランプ３を冷却する冷却システムが以上のように構成されており次のように動作する。
光源ランプ３を冷却する冷却システムは、電源を投入して投写運転開始後に冷却ファン３３が運転されることにより作動する。また、給気口３１は、リフレクタ１２の奥部に向くように形成されているので、給気口３１から吹き出された吹出空気は発光管１１が取り付けられているリフレクタ１２の奥部に向かって吹き付けられる。
【００４８】
また、この冷却システムは、投写型映像表示装置の取付状態の如何に拘わらず発光管１１の上部を重点的に冷却するように、給気口３１から吹き出される吹出空気が風向制御されている。すなわち、投写型映像表示装置が図７（ａ）に示すように正立投写状態に取り付けられているときは、図６（ｂ）及び図７（ｂ）に示すように、２枚の風向板４２が何れも最大回転位置に位置し、Ｖ字状に開いた状態になっている。このため、給気口から吹き出された冷却空気は、図３（ａ）に示すように、発光管１１の存在するリフレクタ１２の奥部に向かって吹き出されるが、発光管１１の両側に向かっているため、吹き出された空気が直接発光管１１の下方に衝突するのではなくリフレクタ１２の内面に沿って流れることにより、発光管１１の上部に回り込むようになる。この結果、発光管１１の上部が重点的に冷却される。図７（ｂ）は、この状態における冷却空気の流れ状態を前方から見た模式図である。なお、発光管１１の上部を重点的に冷却した、光源ランプ３冷却後の空気は、図３に示すように、リフレクタ１２の口縁の他の開口部１８からランプハウス２０外に排出される。
【００４９】
次に、投写型映像表示装置が図８(ａ)に示すように天吊り投写状態に設置された場合は、図３において上下反転した状態となる。このため、２枚の風向板４２は、図６（ｃ）に示すようなＶ字状を閉じた状態となる。したがって、この場合は、給気口３１から吹き出された冷却空気は、リフレクタ１２の奥部に向かって吹き出されるが、発光管１１の両側部ではなく発光管１１の上部に衝突するように吹き出される。この結果、図８(ｂ)に示すように、天吊り投写状態における発光管１１の上部が重点的に冷却される。なお、このように天吊り投写状態における発光管１１の上部を重点的に冷却した、光源ランプ３冷却後の空気は、リフレクタ１２の口縁の他の開口部１８からランプハウス２０外に排出される。
【００５０】
また、投写型映像表示装置が図９(ａ)に示すように壁面に対し上向き投写状態に設置された場合は、２枚の風向板４２が図６（ｄ）及び図９（ｂ）に示すように重なった状態で横方向に延びる状態となる。また、この状態においては、この上向き投写状態における上方に位置する風向板４２は基準位置に制止されるとともに、下方に位置する風向板４２が最大回転位置に静止される。これにより、給気口３１から吹き出された冷却空気は、上記の場合と同様にリフレクタ１２の奥部に向かって吹き出される。また、図６（ｄ）及び図９（ｂ）に示すように、上方の風向板４２に添って吹き出された空気は、直接発光管１１の上部に向かって吹き付けられる。他方、下方の風向板４２に沿って吹き出された冷却空気は、発光管１１の下方に向かって吹き付けられるため、冷却空気がリフレクタ１２の内面に沿って上方へ回り込む状態となる。このため、このような上向き投写状態の設置状態においても発光管１１の上部が重点的に冷却される。なお、この場合も、光源ランプ３冷却後の空気は、リフレクタ１２の口縁の他の開口部１８からランプハウス２０外に排出される。
【００５１】
また、投写型映像表示装置が図１０(ａ)に示すように壁面に対し下向き投写状態に設置された場合は、２枚の風向板４２が図６（ｄ）及図１０（ｂ）に示すように重なった状態で横方向に延びる状態となる。また、この状態においては、この下向き投写状態における上方に位置する風向板４２は基準位置に制止されるとともに、下方に位置する風向板４２が最大回転位置に静止される。これは、上記上向き投写状態の場合と上下反転した状態である。したがって、上記上向き投写状態の場合と同様に、給気口３１から吹き出された冷却空気がリフレクタ１２の奥部に向かって吹き出される。そして、図６（ｄ）及び図１０（ｂ）に示すように、上方の風向板４２に添って吹き出された空気が直接発光管１１の上部に向かって吹き付けられるとともに、下方の風向板４２に沿って吹き出される冷却空気がリフレクタ１２の内面に沿って上方へ回り込む状態となる。このため、このような下向き投写状態の設置状態においても発光管１１の上部が重点的に冷却される。なお、この場合も、光源ランプ３冷却後の空気は、リフレクタ１２の口縁の他の開口部１８からランプハウス２０外に排出される。
【００５２】
実施の形態１に係る投写型映像表示装置は、以上のように構成されているので次のような効果を奏することができる。
（１）本実施の形態に係る投写型映像表示装置は、光源ランプ３の光軸Ｃ１を中心に本体１を回転させることにより投写方向が変更可能に構成されているので、光源ランプ３の光軸Ｃ１を中心に本体１を回転させることにより、上下左右何れの方向へも投写方向を変更することができる。
【００５３】
（２）また、前記光源ランプ３の光軸Ｃ１と投写レンズ２の光軸Ｃ２とは、直角を成すように配置されているので、本体１内の機器配置を移動させることなく光源ランプ３の光軸Ｃ１を中心に回転させると、投写方向を３６０度回転することができる。
【００５４】
（３）また、このようにして投写方向を変更した場合に、風向変更部４０の作用により、投写方向の如何に拘わらず発光管１１の上部に対し重点的に冷却空気を集中することができるので、発光管１１の性能を十分に発揮させるとともに、発光管１１の寿命を長期化することができる。また、無駄に流通させる冷却空気流が存在しないので無駄なエネルギーロスがない。
【００５５】
（４）また、本実施の形態に係る投写型映像表示装置の冷却システムは、正立投写状態時において、発光管１１の下方位置となるリフレクタ１２の口縁部の下方位置から発光管１１が位置するリフレクタ１２の奥部に向けて冷却空気を吹き出す給気口３１を備えている。そして、給気口３１から吹き出された冷却空気は、発光管１１が存在するリフレクタ１２の奥部に向かって吹き出される。
【００５６】
（５）また、本冷却システムは、給気口３１から吹き出される冷却空気を発光管１１に向けて直接吹き出すか、又は、発光管１１の側方に向けて吹き出すかを制御するための２枚の風向板４２を有する。また、この２枚の風向板４２は、光源ランプ３の光軸Ｃ１を含む面Ｆ内に配置された回転軸４１により回転自在に軸支されるとともに、発光管１１に向けて吹き出される冷却空気と直交するように光源ランプ３の光軸Ｃ１に対して傾斜して配置されている。さらに、この２枚の風向板４２は、規制部材により前記光軸Ｃ１を含む面Ｆから最小回転位置を成す基準位置と、前記光軸Ｃ１を含む面Ｆから相互に対向する方向への最大回転位置を成す最大回転位置との間で回転自在とするように構成されている。したがって、２枚の風向板４２は、光源ランプ３の光軸Ｃ１を中心に本体１を回転させて投写方向を変更した場合に、その自重により、投写方向の変化に対応して前記光軸Ｃ１を含む面Ｆから適切な回転角度を得るように回転することができる。
【００５７】
（６）前記最大回転位置は、給気口３１から吹き出される冷却空気が発光管１１の側方に向けて吹き出され、この吹き出された冷却空気が発光管１１の上部に到達するような空気流れを形成する上で適切な位置となるように設定されている。したがって、風向変更部４０は、風向板４２を必要最小限の範囲で回転するだけでよい。
【００５８】
（７）前記規制部材は、前記基準位置を規制する基準位置規制部材４３と、最大回転位置を規制する最大回転位置規制部材４４とから構成されているので、投写型映像表示装置の設置状態の如何に拘わらず２枚の平板状の風向板４２を適切な回転角度位置に規制することができる。
【００５９】
（８）２枚の風向板４２は、同一の回転軸４１に軸支されるとともに、基準位置規制部材４３に当接する位置まで回動可能とするために、軸受部４５付近、すなわち回転軸４１付近に相互の干渉を防止する切込み４６が形成されているので、２枚の風向板４２を略重なるように閉じた状態を基準位置とすることができる。
【００６０】
（９）また、光源ランプ３は、リフレクタ１２の口縁部分における上下左右方向に切欠状に開口された複数の開口部１８を有し、これら開口部１８のうちの一つに対し給気口３１が先端に形成された給気ダクト３２が挿入され、他の開口部１８は、光源ランプ３冷却後の冷却空気を排出する排気口として構成されている。したがって、リフレクタ１２の機能を阻害せずに給気口３１及び排気口を形成することができるとともに、給気口３１からの吹出空気を発光管１１に向けて吹き出すことができる。
【００６１】
（１０）排気口は、リフレクタ１２の口縁部分において、給気ダクト３２が挿入される開口部１８に対向する位置並びに当該対向位置と前記給気口３１との中間位置に配置されているので、発光管１１の周囲を均一な温度状態に保持するように風向を制御することが容易となる。
【００６２】
（変形例）
本発明は、上記実施の形態において以下のように変更することもできる。
・前記実施の形態においては、基準位置規制部材４３及び最大回転位置規制部材４４は、風向板４２を横切る長さの円柱棒状部材であったが、図１１の基準位置規制部材５１のように長さを短くし風向板４２の端部のみに当接するように構成してもよい。このように構成すれば、風向板４２による風向制御が規制部材により阻害される恐れがなくなる。
【００６３】
・また、前記規制部材の形状は、風向板４２の回転移動を規制するものであればよく、図１１の最大回転位置規制部材５２のように、給気ダクト３２の壁体に板状折り曲げ部材を一体に取り付けたものとしてもよい。
【００６４】
・また、給気口３１から吹き出される吹出空気を風向板４２によりリフレクタ１２奥部の発光管１１に導くことを容易にするために、図１１に示すように、２枚の風向板４２における非対向面側、つまり外側表面部それぞれにガイド板５３を起立させてもよい。
【００６５】
・最大回転位置は、前記実施の形態のような形状の場合には略６０度が好ましいが、発光管１１や、リフレクタ１２の形状が大幅に変更される場合には、さらに実験的に確認し他の適切な角度としてもよい。
【００６６】
・冷却空気吹出口を成す給気ダクト３２は、前記実施の形態においては正立投写状態時に下方となる開口部１８に挿入されていたが、他の開口部１８に設けるようにしてもよい。この場合には、２枚の風向板４２の回転位置が取り付けられる開口部に対応し、図６に図示した状態の内の該当する状態に回転作動し、何れの位置にあっても発光管１１の上部が重点的に冷却される。
【００６７】
・前記実施の形態における光源ランプ３の冷却システムは、光源ランプ３が１個の投写型映像表示装置におけるものであったが、複数の光源ランプ３を備えた多灯式投写型映像表示装置における冷却システムとしても応用することができる。
【産業上の利用可能性】
【００６８】
本発明の中核を成す冷却システムは、液晶ライトバルブ８Ｒ，８Ｇ，８Ｂを用いた投写型映像表示装置において幅広く利用することができる。
【符号の説明】
【００６９】
Ｆ…（光源ランプの光軸を含む）面、Ｃ１，Ｃ２…光軸、１…本体、２…投写レンズ、３…光源ランプ、１１…発光管、１２…リフレクタ、１８…開口部、３１…給気口、３２…給気ダクト、４０…風向変更部、４１…回転軸、４２…風向板、４３…基準位置規制部材、４４，５２…最大回転位置規制部材、４６…切込み、５３…ガイド板。
【図１】
2011185993.tif 000003
【図２】
2011185993.tif 000004
【図３】
2011185993.tif 000005
【図４】
2011185993.tif 000006
【図５】
2011185993.tif 000007
【図６】
2011185993.tif 000008
【図７】
2011185993.tif 000009
【図８】
2011185993.tif 000010
【図９】
2011185993.tif 000011
【図１０】
2011185993.tif 000012
【図１１】
2011185993.tif 000013